(57)【要約】      （修正有）【課題】１回の撮像で被検体上の高反射異常対象物と低反射異常対象物を検査することができる外観検査装置を提供する。【解決手段】外観検査装置は、被検体１の外観から被検体１の異常対象物Ｆを検出する外観検査装置であって、所定波長帯域の光を被検体１に上方から照射する照明３ａと、所定波長帯域から離れた波長帯域の光を被検体１に対してローアングルで照射する照明３ｂと、照明３ａと照明３ｂの反射光を検出する撮像手段４と、を備える。【選択図】図１
2019138762.tif 000002
【特許請求の範囲】
【請求項１】
被検体の外観から前記被検体の異常対象物を検出する外観検査装置であって、
所定波長帯域の光を前記被検体に上方から照射する第１の照明と、
前記所定波長帯域から離れた波長帯域の光を前記被検体に対してローアングルで照射する第２の照明と、
前記第１の照明と前記第２の照明の反射光を検出する撮像手段と、
を備えたこと、
を特徴とする外観検査装置。
【請求項２】
前記第２の照明は、前記被検体の表面と概略平行となる前記ローアングルで光を照射すること、
を特徴とする請求項１記載の外観検査装置。
【請求項３】
前記撮像手段と接続され、前記撮像手段から入力されたデータを画像処理する処理装置を備え、
前記処理装置は、
前記データに含まれる前記異常対象物の像を検出するスキャン部と、
前記スキャン部の検出結果に基づき、前記異常対象物の像の位置とアノテーション情報とを対応付けて記憶する記憶部と、
を有すること、
を特徴とする請求項１又は２記載の外観検査装置。
【請求項４】
前記処理装置に接続され、前記撮像手段の撮像結果を画面に表示する表示装置を備え、
前記処理装置は、
前記撮像結果のデータを、前記第１の照明の波長帯域のデータと前記第２の照明の波長帯域のデータとに分離するデータ分離部と、
前記分離された両データをグレースケールに各々変換する変換部と、
前記変換部で変換された前記両データのうち、一方の前記データを色反転させる反転部と、
前記反転部により反転させた前記一方のデータと、他方のデータとを合成して画像データを生成する生成部と、
を有し、
前記表示装置は、前記画像データを画面に表示すること、
を特徴とする請求項１乃至３の何れかに記載の外観検査装置。
【請求項５】
前記表示装置は、
前記異常対象物を示す位置に当該異常対象物のアノテーション情報を表示すること、
を特徴とする請求項４記載の外観検査装置。
【請求項６】
前記被検体を載置可能なステージと、
前記ステージを回転させる回転機構と、
前記ステージを移動させる移動機構と、
を備え、
前記回転機構と前記移動機構は、前記第２の照明が光を照射する前記被検体上の領域を変更すること、
特徴とする請求項１乃至５の何れかに記載の外観検査装置。
【請求項７】
前記第１の照明及び前記第２の照明による光の照射前に、前記被検体に白色光を照射する白色照明を備えたこと、
を特徴とする請求項１乃至６の何れかに記載の外観検査装置。
【請求項８】
前記第１の照明及び前記第２の照明が照射する光が前記撮像手段に到達するまでの光路を囲う遮光カバーが設けられたこと、
を特徴とする請求項１乃至７の何れかに記載の外観検査装置。
【請求項９】
前記撮像手段の高さを調整する高さ調整機構を備え、
前記遮光カバーは、蛇腹を有すること、
を特徴とする請求項８記載の外観検査装置。
【請求項１０】
異なる画素数の撮像素子群を有し、又は開放絞り値若しくは焦点距離が異なるレンズを有する複数の前記撮像手段を備えること、
を特徴とする請求項８記載の外観検査装置。
【請求項１１】
前記第１の照明は、赤色光又は赤外線を照射し、
前記第２の照明は、青色光又は紫外線を照射すること、
を特徴とする請求項１乃至１０の何れかに記載の外観検査装置。
【発明の詳細な説明】
【技術分野】
【０００１】
本発明の実施形態は、被検体の外観を検査する外観検査装置に関する。
【背景技術】
【０００２】
カメラ等の撮像手段によって被検体を撮像し、画像検査する外観検査装置が知られている。この外観検査装置は、被検体に付着した異物を検出したり、被検体の傷や凸凹、干渉縞の有無などの表面状態を検出したりする目的で使用される。以下、異物及び表面状態を異常対象物と称する。
【先行技術文献】
【特許文献】
【０００３】
【特許文献１】特開２００６−１３３０５２号公報
【特許文献２】特開２０１２−１５４７０７号公報
【発明の概要】
【発明が解決しようとする課題】
【０００４】
異常対象物には、照明光を反射させ易い種類、及び照明光を吸収又は透過する種類がある。照明光を吸収又は透過する種類に対して、相対的に照明光を反射させ易い種類の異常対象物を高反射異常対象物と呼び、照明光を反射させ易い種類に対して、相対的に照明光を吸収又は透過する種類の異常対象物を低反射異常対象物と呼ぶ。被検体によっては、高反射異常対象物と低反射異常対象物の両方が存在する場合があり、また、高反射異常対象物と低反射異常対象物の何れか存在するか不明な場合もある。しかし、従来の外観検査装置では、このような高反射異常対象物と低反射異常対象物の両方を同時に検出することができず、被検体の検査効率を向上させることに限界があった。
【０００５】
本実施形態は、上述の課題を解決すべく、１回の撮像で被検体上の高反射異常対象物と低反射異常対象物を検査することができる外観検査装置を提供することを目的とする。
【課題を解決するための手段】
【０００６】
上記の目的を達成するために、本実施形態に係る外観検査装置は、被検体の外観から前記被検体の異常対象物を検出する外観検査装置であって、所定波長帯域の光を前記被検体に上方から照射する第１の照明と、前記所定波長帯域から離れた波長帯域の光を前記被検体に対してローアングルで照射する第２の照明と、前記第１の照明と前記第２の照明の反射光を検出する撮像手段と、を備えたこと、を特徴とする。
【図面の簡単な説明】
【０００７】
【図１】第１の実施形態に係る外観検査装置の構成の一例を示す図である。
【図２】第１の実施形態に係る処理装置の機能ブロック図である。
【図３】第１の実施形態に係る外観検査装置の動作の一例を示すフローチャートである。
【図４】第１の実施形態に係る処理装置の作用を示す図である。
【図５】第１の実施形態に係る外観検査装置の作用を示す図であり、低反射の異常対象物の検出について説明するための図である。
【図６】第１の実施形態に係る外観検査装置の作用を示す図であり、光を反射する異常対象物の検出について説明するための図である。
【図７】第１の実施形態の変形例に係る処理装置の機能ブロック図である。
【図８】異常対象物の位置及び異常対象物のアノテーション情報の表示を示す図である。
【図９】第２の実施形態に係る放射線検査装置の構成の一例を示す図である。
【図１０】第２の実施形態に係る処理装置の機能ブロック図である。
【図１１】第２の実施形態の外観検査装置の作用を示す図である。
【図１２】他の実施形態に係る外観検査装置の構成の一例を示す図である。
【発明を実施するための形態】
【０００８】
（第１の実施形態）
（構成）
以下、第１の実施形態に係る外観検査装置について、図面を参照しつつ詳細に説明する。
【０００９】
図１は、本実施形態に係る外観検査装置の構成の一例を示す図である。図１に示す外観検査装置は、被検体１を撮影することで、被検体１の外観を画像検査し、異常対象物Ｆを検出する。被検体１は外観検査されるワークである。ここでは、一例として被検体１を、平坦面を有する平板とする。異常対象物Ｆは、被検体１の表面に付着した埃等の異物、被検体１の表面の汚れ、又は被検体１の表面の凹凸や傷である。凹凸や傷は、縁が被検体１の表面から隆起する傾向がある。
【００１０】
この外観検査装置は、ステージ２、照明３ａ、照明３ｂ、撮像手段４、処理装置５及び表示装置６を備える。ステージ２は、被検体１を載置可能な載置面２１を有する載置台である。このステージ２に載置された被検体１が検査対象であり、撮影及び画像処理により異常対象物Ｆの存在が検査される。
【００１１】
照明３ａは、載置面２１上方に設けられ、光軸が載置面２１に高入射角で向けられている。換言すると、照明３ａの光は、ステージ２上の被検体１の表面に高入射角で向けられる。この照明３ａは、ステージ２上の被検体１を照光する。即ち、高入射角は、大部分の光が被検体１の表面に当たり、大部分の反射光が載置面２１上方の撮像手段４に向かう程度である。この照明３ａは、例えばＬＥＤであり、所定波長帯の単色光を照射する。所定波長帯の単色光は、例えば、照明３ｂの光に対して相対的に散乱し難い長波長を有することにより透過性の高い赤色光又は赤外線である。この照明３ａは、例えば赤色ＬＥＤや赤外線ＬＥＤである。
【００１２】
この照明３ａは、同軸落射照明とすることができる。例えば、外観検査装置は、撮像手段４の撮影光軸上にハーフミラーを有する。ハーフミラーは、反射面を照明３ａに向け、照明３ａの光を載置面２１に反射させる。またハーフミラーは、入出射面を載置面２１と撮像手段４に向け、照明３ａが出射して載置面２１上の被検体１から反射してきた光を撮像手段４に向けて透過させる。また、照明３ａは、被検体１を斜め上方から照光するリング式照明であり、ステージ２に被さるように設けられ、被検体１からの反射光はリング開口から撮像手段４に入射する。
【００１３】
尚、この外観検査装置は、同軸落射照明及びリング式照明の両方の照明３ａを備えているが、同軸落射照明単体、リング式照明単体、ドーム式照明単体、又は同軸落射照明に加えてドーム式照明又はリング式照明の併設等の複数種類の組み合わせで照明３ａを備えるようにしてもよい。尚、ドーム式照明は、天頂に開口を有するドーム型であり、ステージ２に被さるように設けられ、被検体１からの反射光は天頂の開口から撮像手段４に入射する。
【００１４】
照明３ｂは、ステージ２の側方に設けられ、光軸がローアングルで載置面２１に向けられている。この照明３ｂは、被検体１を避け、被検体１の異常対象物Ｆを照光する。即ち、光軸とステージ２上の被検体１の表面とが概略平行で、照明３ｂの光軸の高さは、被検体１の表面より高く、被検体１上の異常対象物Ｆよりも低い範囲であることが望ましいが、被検体１の表面で反射した光の大部分が載置面２１の上方の撮像手段４から逸れた方向に反射する角度であればよい。光軸が平行である場合、照明３ｂに近い高反射異常対象物Ｆ２の検出精度が向上し、被検体１からの反射光が撮像手段４から逸れる角度範囲では、高反射異常対象物Ｆ２の検出範囲が拡大する。
【００１５】
この照明３ｂは、照明３ａの波長帯域とは離れた波長帯域の単色光を照射する。例えば、この照明３ｂの単色光は、照明３ａの光を相対的に長波長とすることが望ましいため、照明３ａの光に対して相対的に散乱し易い短波長を有することにより透過性の低い青色光又は紫外線である。この照明３ｂは、例えば青色ＬＥＤである。
【００１６】
撮像手段４は、ＣＣＤやＣＭＯＳ等の撮像素子を含み構成されたカメラであり、載置面２１の上方に設けられ、照明３ａが出射して被検体１で反射した光、及び照明３ｂが出射して異常対象物Ｆで反射した光を検出する。撮像手段４には、レンズ４１と、照明３ａ及び照明３ｂが照射する光が撮像手段４に到達するまでの光路を囲う遮光カバー４２が設けられている。
【００１７】
この撮像手段４は、照明３ａの光を受光する撮像素子と照明３ｂの光を受光する撮像素子とを有する。照明３ａの光を受光する撮像素子は、受光面に照明３ａの光の波長帯域を透過させる同色のフィルタを有する。照明３ｂの光を受光する撮像素子は、受光面に照明３ｂの光の波長帯域を透過させる同色のフィルタを有する。この撮像手段４は、各画素値に照明３ａの光の強度情報と照明３ｂの光の強度情報とを有する画像データを出力することになる。この強度情報は、デジタル化されて階調値に変換されて出力される。照明３ａが赤色光を出射し、照明３ｂが青色光を出射する場合、撮像手段４はカラーカメラでよい。この撮像手段４は、入光した反射光を各ＲＧＢの光強度に応じて画素毎にＲＧＢの各階調値を有する画像データに変換し、当該画像データを出力する。
【００１８】
処理装置５は、撮像手段４と接続されており、撮像手段４から入力された画像データを画像処理する。画像処理によって生成される画像データは、低反射異常対象物Ｆ１と高反射異常対象物Ｆ２を同一の画像データに同一の表現態様で同時に表示する。図２は、処理装置５の構成を示すブロック図である。この処理装置５は、データ分離部５１、変換部５２、反転部５３、及び生成部５４を有する。
【００１９】
典型的には、この処理装置５は、所謂コンピュータ、及び当該コンピュータとバス、入出力インターフェース及び信号線で接続されたコントローラであり、ＣＰＵ、ＨＤＤ又はＳＳＤといったストレージ及びＲＡＭを備える。ストレージはプログラムを記憶し、ＲＡＭはプログラムが展開され、またデータが一時的に記憶され、ＣＰＵはプログラムを処理する。コントローラは、ＣＰＵから出力される制御信号に従って、照明３ａ、３ｂに電力を供給し、また撮像手段４に撮影処理を実行させ、撮像手段４から画像データを取り込む。或いは、処理装置５は、ハードウェアロジックによってデータ分離部５１、変換部５２、反転部５３、及び生成部５４を備えてもよい。
【００２０】
データ分離部５１は、ＣＰＵを含み構成され、撮像手段４から入力された画像データを、照明３ａの波長帯域のみの単色画像データと、照明３ｂの波長帯域のみの単色画像データとに分離する。このデータ分離部５１は、照明３ａの波長帯域の階調値を各画素に残し、それ以外の色の階調値をゼロ或いは破棄する。これにより、照明３ａの波長帯域のデータが生成される。また、このデータ分離部５１は、照明３ｂの波長帯域の階調値を各画素に残し、それ以外の色の階調値をゼロ或いは破棄する。これにより、照明３ｂの波長帯域のデータが生成される。このように分離された画像データを分離データと称する。
【００２１】
例えば、照明３ａが赤色を出射し、照明３ｂが青色を出射した場合、各画素の赤色の階調値を残して、各画素の青色と緑色の階調値をゼロにすれば、照明３ａの波長帯域の分離データが生成され、各画素の青色の階調値を残して、各画素の赤色と緑色の階調値をゼロにすれば、照明３ｂの波長帯域の分離データが生成される。
【００２２】
尚、撮像手段４のソフトウェアが照明３ａの波長帯域のみの単色画像データと、照明３ｂの波長帯域のみの単色画像データとを別々に保存する場合には、既に分離データが存在しているためにデータ分離部５１は不要である。例えば、照明３ａが赤色を出射し、照明３ｂが青色を出射し、更に撮像手段４がカラーカメラであって、撮像手段４のソフトウェアが赤色の画像データと青色の画像データを別々に保存している場合には、データ分離部５１は不要である。
【００２３】
変換部５２は、ＣＰＵを含み構成され、分離データをグレースケールに変換する。反転部５３は、ＣＰＵを含み構成され、グレースケールに変換された分離データの一方を白黒反転させる。生成部５４は、ＣＰＵを含み構成され、反転部５３により反転させた分離データと、他方の分離データとを合成した画像データを生成する。
【００２４】
表示装置６は、液晶ディスプレイや有機ＥＬディスプレイといったモニタである。表示装置６は、処理装置５と接続されており、処理装置５から出力された画像データを画面に表示する。
【００２５】
（動作）
上記のような外観検査装置の動作の一例を図３のフローチャートに示す。以下、照明３ａが赤色光を照射し、照明３ｂが青色光を照射し、画像データが赤色のＲデータと青色のＢデータとに分離される例を採り説明する。まず、ステージ２の載置面２１に被検体１を載置し（ステップＳ１）、処理装置５によりコントローラを介して照明３ａ及び照明３ｂをオンにし、ステージ２上の被検体１を照明３ａ、３ｂの光を同時に照射する（ステップＳ２）。そして、撮像手段４で照明３ａ、照明３ｂを起源とする反射光を受光する（ステップＳ３）。
【００２６】
次に、撮像手段４により、入光した反射光を検出して画像データに生成し（ステップＳ４）、処理装置５に出力する。そして、図４に示すように、データ分離部５１により、入力された画像データから分離データを生成する（ステップＳ５）。変換部５２により分離データのうちの一方（例えばＲデータ）をグレースケールに変換し（ステップＳ６）、このグレースケールデータを反転部５３により、白黒反転する（ステップＳ７）。また、変換部５２により、他方の分離データ（例えばＢデータ）をグレースケールに変換する（ステップＳ８）。生成部５４は、グレースケールに変換され、一方は白黒反転された両分離データを合成して画像データを生成し（ステップＳ９）、表示装置６に合成した画像データを出力する。表示装置６は、処理装置５から入力された画像データを画面に表示する（ステップＳ１０）。
【００２７】
（作用）
図５及び図６は、本実施形態に係る外観検査装置の作用を示す図である。図５は、低反射異常対象物Ｆ１の検出について説明するための図である。図６は、高反射異常対象物Ｆ２の検出について説明するための図である。
【００２８】
まず、照明３ａの波長帯域と照明３ｂの波長帯域を隔離しており、また外観検査装置は遮光カバー４２によって外光を制限しているので、これら波長帯域を跨ぐ各波長帯域を含んだ外光が撮像手段４に入光することが抑制されている。そのため、撮像手段４の画像データから照明３ａの波長帯域のみの画像データと照明３ｂの波長帯域のみの画像データとを分離することは容易となっている。
【００２９】
図５に示すように、被検体１の表面に、黒色カーボンなどの低反射異常対象物Ｆ１がある場合、照明３ａは、被検体１の表面と低反射異常対象物Ｆ１を照光する。低反射異常対象物Ｆ１からの反射光は、被検体１の表面からの反射光と比べて少ない。そのため、照明３ａの波長帯域のみの画像データ内では、低反射異常対象物Ｆ１に相当する画像領域が暗く、その周囲は明るい画像領域となる。しかも、照明３ａの波長帯域が長波長であると、低反射異常対象物Ｆ１からの反射光はより少なくなり、低反射異常対象物Ｆ１の画像領域とその周囲とは、よりコントラストが高くなる。
【００３０】
一方、図６に示すように、被検体１の表面に、糸くず、埃などの光を反射する高反射異常対象物Ｆ２がある場合、照明３ｂは、被検体１の表面の高反射異常対象物Ｆ２をターゲットに照光する。ローアングルで照光する照明３ｂは、被検体１を照光しないか、被検体１を照光したとしても、被検体１からの反射光の多くは撮像手段４に入光しない。そのため、照明３ｂの波長帯域のみの画像データ内では、高反射異常対象物Ｆ２に相当する画像領域が明るく、その周囲は暗い画像領域となる。しかも、照明３ｂの波長帯域が照明３ａと比べて短波長であると、高反射異常対象物Ｆ２からの反射光はより多くなり、高反射異常対象物Ｆ２の画像領域とその周囲とは、よりコントラストが高くなる。
【００３１】
そして、両画像データが異常対象物Ｆを表現する際、一方は異常対象物Ｆを明るく表現し、他方は異常対象物Ｆを暗く表現しているので、グレースケール化して一方を白黒反転することで、双方の種類の異常対象物Ｆが同一の明るさ表現で画像に現れるため、低反射異常対象物Ｆ１も高反射異常対象物Ｆ２も同一画像データ内で同時に把握することが容易となる。
【００３２】
また、被検体１の表面状態が異常となる部分はその周囲が平坦であるのに対し、うねりや凸凹等が生じており、照明３ｂの反射光を受光して得られる画像は、凸部分の片側が明るく、他方側が暗くなる等により、画像上に影が現れ、表面状態を判別することができる。
【００３３】
このように、検出したい異常対象物Ｆによって、照射する光の波長帯域及び照射アングルを異ならせており、光に対する反射の性質が違っても、１回の撮像で同時に異物、表面状態、及びそれらの種類を検出することができる。
【００３４】
（効果）
上記のように、本実施形態の外観検査装置は、被検体１の外観から被検体１の異常対象物Ｆを検出する外観検査装置であって、所定波長帯域の光を被検体１に上方から照射する照明３ａと、所定波長帯域から離れた波長帯域の光を被検体１に対してローアングルで照射する照明３ｂと、照明３ａと照明３ｂの反射光を検出する撮像手段４と、を備えるようにした。
【００３５】
これにより、１回の撮像で同時に異なる種類の異常対象物Ｆを検出することができる。即ち、低反射異常対象物Ｆ１に対しては被検体１の上方から照射することで、低反射異常対象物Ｆ１とその背景となる被検体１とのコントラストを鮮明にするとともに、高反射異常対象物Ｆ２に対しては、ローアングルで照射することで、被検体１の反射を低減させることで高反射する高反射異常対象物Ｆ２のコントラストを鮮明にしている。そして、異常対象物Ｆの種類に応じて波長帯域の異なる照明３ａ、３ｂを用いているので、撮像手段４の受光光が分別可能であり、いずれの異常対象物Ｆかを検出することができる。特に、照明３ｂは、被検体１の表面と概略平行となるローアングルで光を照射するようにしたので、被検体１の表面上の異常対象物Ｆに照射し、被検体１の反射をより抑えることで、当該表面上の異常対象物Ｆの検出精度を向上させることができる。
【００３６】
この照明３ａ、３ｂの各照射光は、波長帯域が分離可能な程度に離れて異なっていれば、いずれの色の光を照射してもよく、いずれの異常対象物Ｆをも検出可能となる。従って、例えば、照明３ａは、赤色光又は赤外線を照射し、照明３ｂは、青色光又は紫外線を照射するようにしてもよい。または、照明３ａは、青色光又は紫外線を照射し、照明３ｂは、赤色光又は赤外線を照射するようにしてもよい。また、一方が緑色光を照射し、他方が赤色光若しくは青色光を照射するようにしてもよい。更に他の色の光を照射するようにしてもよい。
【００３７】
特に、この外観検査装置では、照明３ｂの光を短波長の青色光又は紫外線としたので、微小な高反射異常対象物Ｆ２に対しても照射させやすく、より精度良く反射異物Ｆ２を検出することができる。一方で、照明３ａの光を照明３ｂと異なる長波長である赤色又は赤外線としているので、低反射異常対象物Ｆ１も区別しやすくなり、より精度良く低反射異常対象物Ｆ１を検出することができる。
【００３８】
このような外観検査装置の用途としては、以下が例示される。
（ａ）塗装面、メッキ面の傷、ムラの検査
（ｂ）プラスチック、ゴム成形部品の表面のヒゲ、凹凸の検査
（ｃ）ガラス板、プラスチック板の表面に付着した埃や傷の検査
（ｄ）切削加工や糸鋸作業等におけるケガキ線の証明
（ｅ）凹凸エンボス等の傷、ムラの検査
（ｆ）シリコンウエハの異物、傷の検査
（ｇ）溶接線の形状判断や溶接時に発生するスパッタの有無
（ｈ）食品内部の果汁成分部の凝固や空気含入の検査
【００３９】
また、処理装置５に接続され、撮像手段４の撮像結果を画面に表示する表示装置６を備え、処理装置５は、撮像結果のデータを、照明３ａの波長帯域のデータと照明３ｂの波長帯域のデータとに分離するデータ分離部５１と、分離された両データをグレースケールに各々変換する変換部５２と、変換部５２で変換された両データのうち、一方のデータを色反転させる反転部５３と、反転部５３により反転させた一方のデータと、他方のデータとを合成して画像データを生成する生成部５４と、を有し、表示装置６は、画像データを画面に表示するようにした。
【００４０】
これにより、波長帯域が異なっても同じ画像処理アルゴリズムで処理することができ、且つ、異常対象物Ｆの有無を容易に把握することができる。
【００４１】
また、照明３ａ及び照明３ｂが照射する光が撮像手段４に到達するまでの光路を囲う遮光カバー４２を設けるようにした。これにより、撮像手段４に外光が入るのを抑制することができるので、異常対象物Ｆの検出精度を向上させることができる。
【００４２】
（第１の実施形態の変形例）
第１の実施形態の変形例を図７及び図８を用いて説明する。第１の実施形態と同一構成及び同一機能については同一符号を付して詳細な説明を省略する。
【００４３】
図７は、処理装置５の機能ブロック図である。図７に示すように、処理装置５は、画像上で異常対象物Ｆの位置を特定するスキャン部５５、異常対象物Ｆのアノテーション情報を記憶する記憶部５６を有する。
【００４４】
典型的には、このスキャン部５５は、分離データを二値化して異常対象物Ｆの画素値と周囲の画素値を区分けして異常対象物Ｆの画素値を有する座標を特定したり、分離データのエッジ抽出により急峻に画素値が変化する座標を特定したりすればよい。そして、スキャン部５５は、特定した座標を起点に輪郭抽出を行い、輪郭線内の中心座標を異常対象物Ｆの位置として特定すればよい。
【００４５】
また、スキャン部５５は、スキャン結果からアノテーション情報を生成する。アノテーション情報としては、異常対象物Ｆの種類及びサイズが挙げられる。異常対象物Ｆの種類は、スキャンする分離データによって特定される。即ち、照明３ａの波長帯域のみによって成る分離データで特定された異常対象物Ｆの種類は、低反射異常対象物Ｆ１であり、照明３ｂの波長帯域のみによって成る分離データで特定された異常対象物Ｆの種類は、高反射異常対象物Ｆ２である。サイズに関しては、スキャン部５５は、輪郭抽出によって得られた輪郭線内のピクセル数をカウントし、実空間のサイズに変換する。
【００４６】
記憶部５６は、ストレージを含み構成され、スキャン部５５が特定した異常対象物Ｆの位置とアノテーション情報とを対応付けて記憶する。図８に示すように、画像データに付加された異常対象物Ｆの位置及びそのアノテーション情報を画面上に表示する。
【００４７】
即ち、生成部５４は、画像データに、記憶部５６に記憶された異常対象物Ｆを示す位置座標と異常対象物Ｆのアノテーション情報を画像データに合成し、又は表示装置６は、画像データに、記憶部５６に記憶された異常対象物Ｆを示す位置座標と異常対象物Ｆのアノテーション情報を画像データにオーバーレイ表示する。
【００４８】
このように、処理装置５は、撮像手段４から入力されたデータに含まれる異常対象物Ｆの像を検出するスキャン部５５と、スキャン部５５の検出結果に基づき、異常対象物Ｆの像の位置とアノテーション情報とを対応付けて記憶する記憶部５６と、を有することで、異常対象物Ｆの位置及びアノテーション情報を知ることができる。表示装置６は、異常対象物Ｆを示す位置に当該異常対象物Ｆのアノテーション情報を表示するようにしたので、検出された異常対象物Ｆの把握が容易になる。なお、異常対象物Ｆが検出された時点でアノテーション情報の表示に代えてエラーを出力しても良い。
【００４９】
（第２の実施形態）
（構成）
第２の実施形態を、図９を用いて説明する。第１の実施形態と同一構成及び同一機能については同一符号を付して詳細な説明を省略する。
【００５０】
図９は、第２の実施形態に係る外観検査装置の構成の一例を示す図である。図９に示すように、本実施形態の外観検査装置は、湾曲した板や直方体形状等の被検体１の表面検査に特に有用であり、照明３ｂとローアングルを成し、照明３ａの下方に位置する面を切り替えて各表面を検査する。この外観検査装置は、被検体１を載置するステージ２を移動及び回転させる移動機構７及び回転機構８を更に有する。
【００５１】
移動機構７は、ステージ２を並進及び昇降させる。並進方向はＸ軸方向及びＹ軸方向である。Ｘ軸方向は、ステージ２の載置面２１に沿う一方向である。Ｙ軸方向は、ステージ２の載置面２１が拡がる平面に沿い、Ｘ軸方向と直交する方向である。昇降方向はＺ軸方向である。Ｚ軸方向は、ステージ２の載置面２１と直交し、換言すると撮像手段４に接離する方向である。移動機構７は、例えば、各Ｘ軸、Ｙ軸、Ｚ軸方向に沿って延びるボールネジ機構である。このボールネジ機構は、位置固定のモータと、モータにより軸回転するネジ軸と、ネジ軸と螺合してステージ２と連結されたスライダとで構成される。
【００５２】
回転機構８は、ステージ２を回転させ、ステージ２上の被検体１の向きを変更する。回転機構８は、各Ｘ軸、Ｙ軸、Ｚ軸周りにステージ２を回転させる。回転機構８は、例えば、各軸でモータ８１及び軸方向に延びる回転軸８２を有する。回転軸８２は、一端がモータ８１に連結され、他端がステージ２に連結されており、モータ８１の回転により回転軸８２が回転し、各軸周りにステージ２が回転する。
【００５３】
図１０は、処理装置５の機能ブロック図である。処理装置５は、検査領域記憶部５７、機構制御部５８を有する。検査領域記憶部５７は、ストレージを含み構成され、載置面２１上の当該被検体１の規定位置と、被検体１の検査領域が記憶されている。規定位置は、照明３ａ、３ｂから被検体１の表面が照射される照射範囲にあり、且つ、撮像手段４の真下となる位置である。検査領域は、予め計測した被検体１の外形データから被検体１の外表面が複数の領域に分割されており、各領域に対して検査順序が対応付けられている。例えば、被検体１が直方体形状である場合、検査領域は、被検体１の上面、右側面、左側面、正面、背面であり、この順に検査順序が対応付けられる。
【００５４】
機構制御部５８は、ＣＰＵ及びコントローラを含み構成され、移動機構７及び回転機構８を制御し、各検査領域を順番に規定位置に移動させる。すなわち、機構制御部５８は、検査領域記憶部５７を参照し、図１１に示すように、現在の検査領域の中心位置、すなわち規定位置に、次の検査領域の中心位置が位置し、検査領域と照明３ｂの光とがローアングルを成す角度に向くように、移動機構７及び回転機構８のモータを駆動させる。具体的には、機構制御部５８は、規定位置から次の検査領域の中心位置までの移動量及び回転量となる制御信号を生成し、ドライバ回路がその制御信号に基づいて、移動機構７及び回転機構８のモータを駆動させる。
【００５５】
このように、被検体１を載置可能なステージ２と、ステージ２を回転させる回転機構と、ステージ２を移動させる移動機構７と、を備え、回転機構８と移動機構７は、照明３ｂが光を照射する被検体１上の領域を変更するようにしたので、検査対象としたい領域が撮像手段４に向いていなくても、当該領域を撮像手段４の方に向けることができ、被検体１の外表面を広範囲に検査することができる。例えば、縁が湾曲した液晶パネルを被検体１としても、その湾曲面の外観を検査することができる。
【００５６】
（他の実施形態）
本明細書においては、本発明に係る実施形態を説明したが、この実施形態は例として提示したものであって、発明の範囲を限定することを意図していない。以上のような実施形態は、その他の様々な形態で実施されることが可能であり、発明の範囲を逸脱しない範囲で、種々の省略や置き換え、変更を行うことができる。実施形態やその変形は、発明の範囲や要旨に含まれると同様に、特許請求の範囲に記載された発明とその均等の範囲に含まれるものである。
【００５７】
例えば、図１２に示すように、外観検査装置は、白色照明３ｃを有していても良い。白色照明３ｃは、照明３ａ及び照明３ｂによる光の照射前に、ステージ２上の被検体１に白色光を照射する。白色照明３ｃは、例えばリング状の照明とすることができる。白色照明３ｃを有することにより、被検体１の検査前の準備として、撮像手段４でステージ２上の被検体１を見ながら、ステージ２上の撮影位置の調整をし易くすることができる。
【００５８】
また、図１２に示すように、外観検査装置は、撮像手段４の高さを調整する高さ調整機構９を有していても良い。「高さ」方向とは、例えばＺ軸方向である。高さ調整機構９は、モータ９１、一対のプーリ９２、ベルト９３を有する。プーリ９２は回転円盤であり、Ｚ軸方向に所定距離離れて平行に設けられる。ベルト９３は、プーリ９２間を架橋し長円状になるようにプール９２に巻き付けられており、一部が撮像手段４に対して固定されている。モータ９１は、モータ軸がプーリ９２の回転中心に連結されている。モータ９１を駆動するとモータ軸の回転によりプーリ９２が回転し、ベルト９３が連動し一方向に回転し、撮像手段４が高さ方向に移動する。
【００５９】
このように、高さ調整機構９を有することで、撮像手段４の高さを調整でき、撮像手段４の位置合わせが容易になる。例えば、撮像手段４に設けたレンズ４１の倍率を変えたときに位置合わせが容易となる。
【００６０】
更に、図１２に示すように、遮光カバー４２は、蛇腹４２ａを有していても良い。撮像手段４の高さが変わっても、蛇腹４２ａ部分が伸縮するので、撮像手段４に入光する外乱光を遮蔽することができる。
【００６１】
また、異なる画素数の撮像素子群を有し、又は開放絞り値若しくは焦点距離が異なるレンズ４１を有する複数の撮像手段４を備えるようにしても良い。これにより、要求される被検体１の検査精度に対応することができる。
【００６２】
また、図１２に示すように、外観検査装置は、送り機構１０を有していても良い。送り機構１０は、被検体１を順に撮像手段４の下方に送り込む機構である。送り機構１０は、モータ１０１、一対のプーリ１０２、ベルト１０３を有する。プーリ１０２は回転円盤であり、例えばＸ軸方向に所定距離離れて平行に設けられる。ベルト１０３は、プーリ１０２間を架橋し長円状になるようにプール１２に巻き付けられており、ベルト１０３にはステージ２又は被検体１が載置可能になっている。モータ１０１は、モータ軸がプーリ１０２の回転中心に連結されている。モータ１０１を駆動するとモータ軸の回転によりプーリ１０２が回転し、ベルト１０３が連動し一方向に回転し、被検体１がＸ軸方向に移動し、撮像手段４の真下に順に送ることができる。これにより、被検体１の外観検査を連続して行うことができる。
【符号の説明】
【００６３】
１  被検体
２  ステージ
２１  載置面
３ａ  照明
３ｂ  照明
４  撮像手段
４１  レンズ
４２  遮光カバー
４２ａ  蛇腹
５  処理装置
５１  データ分離部
５２  変換部
５３  反転部
５４  生成部
５５  スキャン部
５６  記憶部
５７  検査領域記憶部
５８  機構制御部
６  表示装置
７  移動機構
８  回転機構
８１  モータ
８２  回転軸
９  高さ調整機構
９１  モータ
９２  プーリ
９３  ベルト
１０  送り機構
１０１  モータ
１０２  プーリ
１０３  ベルト
Ｆ  異常対象物
Ｆ１  低反射異常対象物
Ｆ２  高反射異常対象物
【図１】
2019138762.tif 000003
【図２】
2019138762.tif 000004
【図３】
2019138762.tif 000005
【図４】
2019138762.tif 000006
【図５】
2019138762.tif 000007
【図６】
2019138762.tif 000008
【図７】
2019138762.tif 000009
【図８】
2019138762.tif 000010
【図９】
2019138762.tif 000011
【図１０】
2019138762.tif 000012
【図１１】
2019138762.tif 000013
【図１２】
2019138762.tif 000014